(57)【要約】      （修正有）【課題】歩行リハビリテーションに適した連続載置型の歩行練習具を提供する。【解決手段】筒体よりなる芯体１を設け、芯体外面に適宜厚の発泡合成樹脂による覆設体２を設け、覆設体の一部に覆設体全長にわたる切除部３を設けた。【選択図】図３
2020014814.tif 000002
【特許請求の範囲】
【請求項１】
筒体よりなる芯体を設け、該芯体外面に適宜厚の発泡合成樹脂による覆設体を固着して設け、該覆設体の一部に該覆設体全長にわたる切除部を設けたことを特徴とする連続載置型歩行練習具。
【請求項２】
覆設体下端と芯体下端とを側面視において同一直線上に位置するものとした請求項１記載の連続載置型歩行練習具。
【請求項３】
覆設体下端と芯体下端との側面視における上下位置において、覆設体下端の上下位置を芯体下端位置に近似して設けるものとした請求項１記載の連続載置型歩行練習具。
【発明の詳細な説明】
【技術分野】
【０００１】  この発明は、床上に複数載置して用いる、連続載置型の歩行練習具に関する。
【背景技術】
【０００２】  従来より、種々の歩行練習具があるが、本発明にて示すように、床上に複数個連続配置して用いるものは見当たらない。
【発明の概要】
【発明が解決しようとする課題】
【０００３】  脳卒中やケガの後遺症あるいは難病などの理由から、歩行が困難になると多くは車いすでの移動もしくは生活となるために、活動範囲が制限されることになりがちである。
これらの状況を避けるためにも今ある能力を維持して、できるだけ自立歩行ができるように、リハビリテーションを続けることが、健康に生活を送るための大切なポイントとなっている。【０００４】  病気やケガ等の治療で安静期間が必要なケースでは、安静期の長さと比例して、筋力が低下し、とりわけ下肢筋力低下が顕著である。
急性期リハビリテーションでは、体を少しずつ動かせるようになった段階から、ケガや麻痺のない部分の筋肉はなるべく動かし、筋力の低下を最小限にするとともに、歩行に使う筋肉を取り戻すようにストレッチやマッサージを施すこととなる。
つまり、健康な箇所を健康なままに維持する、または取り戻すことが大切である。【０００５】  すなわち、早い段階でリハビリを開始しなければ、筋肉はとくに凝り固まりやすく、放っておくと本格的な歩行のリハビリを開始する段階になったときに十分に筋肉を動かすことができなくなる。回復期リハビリテーションでは、その人の能力に合わせて実際の歩行訓練を行い、杖や平行棒、歩行器、歩行車などを用いる場合もある。【０００６】  歩行は単に左右の足を交互に動かすというものではなく、一方の足で地面や床面を蹴り上げている最中に体の重心を移動し、他方の足で着地するという動作をなめらかにくり返すことで成り立っている。また、立位から歩行に移行する、方向転換をする、障害物をかわしたり段差に対応することも必要である。
歩行に不安をかかえる人も多く、健常者でも加齢や疲労により円滑な運動ができにくくなったと感じる人も少なくない。そのためにも、毎日少しずつでもリハビリや運動を続けることが、快適に歩行するための近道でもある。【０００７】  また、従来からの歩行補助具や練習具は、あくまでも障害物のない平坦な場所での歩行訓練を目的としており、非平坦場所での訓練に適した手段は見当たらないのが現状である。
本発明は以上に鑑み、床上等に適宜配置して用いることにて、障害物がある場所での歩行訓練に適した新規かつ有用なる用具を提供することを目的として発明されたものである。
【課題を解決するための手段】
【０００８】  課題を解決する手段として本発明は以下の構成とした。
すなわち、筒体よりなる芯体を設け、該芯体外面に適宜厚の発泡合成樹脂による覆設体を設け、該覆設体の一部に該覆設体全長にわたる切除部を設ける。
本発明は以上の構成よりなる連続載置型歩行練習具である。
【発明の効果】
【０００９】  本発明は下記の効果を有する。
１．床上に複数載置して用いるので、従来の歩行練習に比べてより高度な歩行練習を行う  ことができる
２．本品配置位置を適宜に選択することにて、歩行者の状況に合わせたトレーニングを行  うことができる。
３．覆設体下端と芯体下端上下位置を同一直線上とすることで、本品を床上に安定載置す  ることができる。
４．芯体を紙製とし、覆設体を発泡合成樹脂とすることにて、足衝突による足の損傷はな  く、軽量のためにその運搬も容易である。
【図面の簡単な説明】
【００１０】
【図１】本発明の平面図
【図２】本発明の正面図
【図３】本発明の拡大左側面図
【図４】本発明の床面載置説明図
【図５】本発明の床面載置説明図
【図６】本発明の床面載置説明図
【図７】本発明の使用説明図
【発明を実施するための最良の形態】
【００１１】  以下、本発明の実施形態について説明する。
図において、１は芯体で、硬質紙製管体である。２は覆設体で、軟質発泡合成樹脂にて製作された適宜厚の略筒状体であって、その全長は芯体と同一である。この覆設体は芯体外面に粘着にて設けられる。３は切除部で、覆設体の一部をその全長にわたって切除した部分である。
また、図にて示すように、覆設体下端と芯体最下位置は側面視において同一直線上にある。以上が本発明の一実施形態である。【００１２】  本発明の使用に際しては、図７にて示すように、本品を床上に一定間隔にて平行配置する。歩行者はこの配置に沿って本品を踏まないように歩行練習を行う。
この歩行練習においては、平坦床面上での歩行とは異なり、視覚にて本品を認識し、本品に足が触れないように歩行しなければならず、足先の移動と持ち上げを同時に行うこととなり、従来手段に比べてより高度な歩行練習を行うことができる。【００１３】  本発明品は、既述のように床上に置いたときに、芯体最下位置と覆設体最下位置とは側面視において同一直線上すなわち床上に接地することとなり、本品を安定した状態にて置くことができる。
もし、芯体最下位置が覆設体最下位置より下方となれば、図５にて示すように、本品は前後に揺動して好ましくない。逆に芯体最下位置が覆設体最下位置より上方となると、図に示す覆設体最下位置間距離Ａが小さくなって、これも安定性に欠けるものとなる。
ゆえに、同一直線上に芯体と覆設体の最下位置が並ぶように構成したのである。
また、覆設体は発泡合成樹脂にて形成したので、足先が衝突しても足を損傷する恐れはない。本例では芯体を紙製としたので、軽量となり、運搬時の負担はなく、たとえば使用後のラップ芯を芯体として用いれば、廃品活用ともなるのである。【００１４】  以上、本発明について記したが、本発明は立体物を複数個床面上に載置して歩行練習を行うものである。従来品は平滑床面上でのトレーニングであり、立体物をかわして歩行する本発明とはその趣旨を異にするものである。本発明は床上配置は自由であるため、使用者の状況に適した利用を行うことができる。
図では、平行配置の例を示したが、この配置位置や配置間隔は自在であって、たとえば円形配置として用いてもよい。あるいは縦に歩くのみならず、横歩きに用いることもできる。本品は軽量で安価に製作でき、クッション性のある覆設体とすることで、歩行者の足衝突による足の損傷の恐れもない。
なお、芯体下端と覆設体下端は同一直線上が好ましいが、必ずしも同一でなくても、同一直線上に近似の構成としてもよい。
以上のごとく、本発明によって歩行練習に好適なる用具を得ることができる。
【符号の説明】
【００１５】  １  芯体
２  覆設体
３  切除部
Ａ  覆設体最下位置間距離
【図１】
2020014814.tif 000003
【図２】
2020014814.tif 000004
【図３】
2020014814.tif 000005
【図４】
2020014814.tif 000006
【図５】
2020014814.tif 000007
【図６】
2020014814.tif 000008
【図７】
2020014814.tif 000009